(57)【要約】【課題】飛行性能に優れたゴルフボール２の提供。【解決手段】ゴルフボールのディンプル８の断面形状は波状曲線である。この波状曲線は、２つの第一凸部１６、２つの第二凸部１８、２つの第一凹部２０及び２つの第二凹部２２を有している。円弧１４は、一方のエッジＥｄ、最深点Ｐｄ及び他方のエッジＥｄを通過している。それぞれの第一凸部１６は、円弧１４よりも上方に位置している。それぞれの第二凸部１８は、円弧１４よりも上方に位置している。それぞれの第一凹部２０は、円弧１４よりも下方に位置している。それぞれの第二凹部２２は、円弧１４よりも下方に位置している。エッジＥｄから頂点Ｐｐまでの距離Ｌｐの、ディンプル８の半径（Ｄｉ／２）に対する比率は、２０％以上７０％以下である。【選択図】図４
2011160995.tif 000002
【特許請求の範囲】
【請求項１】
その表面に多数のディンプルを備えており、
それぞれのディンプルが曲面を含み、
この曲面の断面形状が、
（１）一方のディンプルエッジ、ディンプルの最深点及び他方のディンプルエッジを通過する円弧よりも上側に位置する１又は２以上の凸部、並びに
（２）上記円弧よりも下側に位置する１又は２以上の凹部
を有する波状曲線であり、
ディンプルエッジに最も近い凸部の頂点とこのディンプルエッジとの距離が、ディンプルの半径の２０％以上７０％以下であるゴルフボール。
【請求項２】
上記ディンプルエッジに最も近い凸部とこのディンプルエッジとの間に１つの凹部が存在する請求項１に記載のゴルフボール。
【請求項３】
上記波状曲線が、サインカーブが円弧と合成されて得られる請求項１又は２に記載のゴルフボール。
【請求項４】
上記波状曲線の周期数が２．０以上６．０以下である請求項３に記載のゴルフール。
【請求項５】
上記波状曲線が、コサインカーブが円弧と合成されて得られる請求項１又は２に記載のゴルフボール。
【請求項６】
上記波状曲線の周期数が２．５以上７．０以下である請求項５に記載のゴルフボール。
【請求項７】
上記波状曲線が３以上７以下の凸部を有する請求項１から６のいずれかに記載のゴルフボール。
【発明の詳細な説明】
【技術分野】
【０００１】
本発明は、ゴルフボールに関する。詳細には、本発明は、ゴルフボールのディンプルの改良に関する。
【背景技術】
【０００２】
ゴルフボールは、その表面に多数のディンプルを備えている。ディンプルは、飛行時のゴルフボール周りの空気の流れを乱し、乱流剥離を起こさせる。乱流剥離によって空気のゴルフボールからの剥離点が後方にシフトし、抗力が低減される。乱流剥離によってバックスピンに起因するゴルフボールの上側剥離点と下側剥離点とのズレが助長され、ゴルフボールに作用する揚力が高められる。抗力の低減及び揚力の向上は、「ディンプル効果」と称される。優れたディンプルは、よりよく空気の流れを乱す。優れたディンプルは、大きな飛距離を生む。
【０００３】
ディンプルの形状に関する種々の提案がなされている。米国特許第７２５００１２号公報には、環状のチューブラー部（annular tubular portion）を有するディンプルを備えたゴルフボールが開示されている。
【０００４】
特開２００１−５４５９２公報には、第一ディンプルと第二ディンプルとを有するゴルフボールが開示されている。第二ディンプルは、第一ディンプルから凹んでいる。
【０００５】
特表２００２−５３１２３２公報には、中央窪み部、ランドリング及び環状窪み部を有するディンプルを備えたゴルフボールが開示されている。
【０００６】
特開２００３−２９０３９０公報には、凸状の底部を有するディンプルを備えたゴルフボールが開示されている。この底部の曲率半径は、大きい。
【０００７】
特開２００８−１２３００公報には、内部に凸部を有するディンプルを備えたゴルフボールが開示されている。この凸部は、リング状凹部に囲まれている。
【先行技術文献】
【特許文献】
【０００８】
【特許文献１】米国特許第７２５００１２号公報
【特許文献２】特開２００１−５４５９２公報
【特許文献３】特表２００２−５３１２３２公報
【特許文献４】特開２００３−２９０３９０公報
【特許文献５】特開２００８−１２３００公報
【発明の概要】
【発明が解決しようとする課題】
【０００９】
ゴルフボールに対するゴルファーの最大の関心事は、飛距離である。飛行性能の観点から、ディンプルの形状には改良の余地がある。本発明の目的は、飛行性能に優れたゴルフボールの提供にある。
【課題を解決するための手段】
【００１０】
本発明に係るゴルフボールは、その表面に多数のディンプルを備える。それぞれのディンプルは、曲面を含む。この曲面の断面形状は、
（１）一方のディンプルエッジ、ディンプルの最深点及び他方のディンプルエッジを通過する円弧よりも上側に位置する１又は２以上の凸部、並びに
（２）上記円弧よりも下側に位置する１又は２以上の凹部
を有する波状曲線である。ディンプルエッジに最も近い凸部の頂点と、このディンプルエッジとの距離は、ディンプルの半径の２０％以上７０％以下である。
【００１１】
好ましくは、ディンプルエッジに最も近い凸部とこのディンプルエッジとの間に、１つの凹部が存在する。
【００１２】
好ましくは、波状曲線は、サインカーブが円弧と合成されて得られる。好ましくは、この波状曲線の周期数は、２．０以上６．０以下である。
【００１３】
波状曲線が、コサインカーブが円弧と合成されて得られてもよい。好ましくは、波状曲線の周期数は、２．５以上７．０以下である。
【００１４】
好ましくは、波状曲線は、３以上７以下の凸部を有する。
【発明の効果】
【００１５】
本発明に係るゴルフボールでは、弾道初期の抗力が小さく、弾道後期の揚力が大きい。このゴルフボールは、飛行性能に優れる。
【図面の簡単な説明】
【００１６】
【図１】図１は、本発明の一実施形態に係るゴルフボールが示された断面図である。
【図２】図２は、図１のゴルフボールが示された拡大正面図である。
【図３】図３は、図２のゴルフボールが示された平面図である。
【図４】図４は、図１のゴルフボールのディンプルが示された拡大断面図である。
【図５】図５は、図４のディンプルの設計方法の説明図である。
【図６】図６は、図４のディンプルの設計方法の説明図である。
【図７】図７は、本発明の実施例２に係るゴルフボールのディンプルが示された断面図である。
【図８】図８は、本発明の実施例３に係るゴルフボールのディンプルが示された断面図である。
【図９】図９は、本発明の実施例４に係るゴルフボールのディンプルが示された断面図である。
【図１０】図１０は、比較例１に係るゴルフボールのディンプルが示された断面図である。
【図１１】図１１は、比較例２に係るゴルフボールのディンプルが示された断面図である。
【図１２】図１２は、比較例３に係るゴルフボールのディンプルが示された断面図である。
【発明を実施するための形態】
【００１７】
以下、適宜図面が参照されつつ、好ましい実施形態に基づいて本発明が詳細に説明される。
【００１８】
図１から３に示されたゴルフボール２は、球状のコア４と、カバー６とを備えている。カバー６の表面には、多数のディンプル８が形成されている。ゴルフボール２の表面のうちディンプル８以外の部分は、ランド１０である。このゴルフボール２は、カバー６の外側にペイント層及びマーク層を備えているが、これらの層の図示は省略されている。コア４とカバー６との間に、中間層が設けられてもよい。
【００１９】
このゴルフボール２の直径は、４０ｍｍ以上４５ｍｍ以下が好ましい。米国ゴルフ協会（ＵＳＧＡ）の規格が満たされるとの観点から、直径は４２．６７ｍｍ以上が特に好ましい。空気抵抗抑制の観点から、直径は４４ｍｍ以下がより好ましく、４２．８０ｍｍ以下が特に好ましい。このゴルフボール２の質量は、４０ｇ以上５０ｇ以下が好ましい。大きな慣性が得られるとの観点から、質量は４４ｇ以上がより好ましく、４５．００ｇ以上が特に好ましい。ＵＳＧＡの規格が満たされるとの観点から、質量は４５．９３ｇ以下が特に好ましい。
【００２０】
コア４は、ゴム組成物が架橋されることによって形成されている。ゴム組成物の基材ゴムとしては、ポリブタジエン、ポリイソプレン、スチレン−ブタジエン共重合体、エチレン−プロピレン−ジエン共重合体及び天然ゴムが例示される。２種以上のゴムが併用されてもよい。反発性能の観点からポリブタジエンが好ましく、特にハイシスポリブタジエンが好ましい。
【００２１】
コア４の架橋には、共架橋剤が好適に用いられる。反発性能の観点から好ましい共架橋剤は、アクリル酸亜鉛、アクリル酸マグネシウム、メタクリル酸亜鉛及びメタクリル酸マグネシウムである。ゴム組成物には、共架橋剤と共に有機過酸化物が配合されるのが好ましい。好適な有機過酸化物としては、ジクミルパーオキサイド、１，１−ビス（ｔ−ブチルパーオキシ）−３，３，５−トリメチルシクロヘキサン、２，５−ジメチル−２，５−ジ（ｔ−ブチルパーオキシ）ヘキサン及びジ−ｔ−ブチルパーオキサイドが挙げられる。
【００２２】
コア４のゴム組成物には、充填剤、硫黄、加硫促進剤、硫黄化合物、老化防止剤、着色剤、可塑剤、分散剤等の各種添加剤が、必要に応じて適量配合される。ゴム組成物に、合成樹脂粉末又は架橋されたゴム粉末が配合されてもよい。
【００２３】
コア４の直径は３０．０ｍｍ以上が好ましく、３８．０ｍｍ以上が特に好ましい。コア４の直径は４２．０ｍｍ以下が好ましく、４１．５ｍｍ以下が特に好ましい。コア４が２以上の層から構成されてもよい。コア４が、その表面にリブを備えてもよい。コア４が空中であってもよい。
【００２４】
カバー６に好適なポリマーは、アイオノマー樹脂である。好ましいアイオノマー樹脂としては、α−オレフィンと炭素数が３以上８以下のα，β−不飽和カルボン酸との二元共重合体が挙げられる。好ましい他のアイオノマー樹脂としては、α−オレフィンと炭素数が３以上８以下のα，β−不飽和カルボン酸と炭素数が２以上２２以下のα，β−不飽和カルボン酸エステルとの三元共重合体が挙げられる。この二元共重合体及び三元共重合体において、好ましいα−オレフィンはエチレン及びプロピレンであり、好ましいα，β−不飽和カルボン酸はアクリル酸及びメタクリル酸である。この二元共重合体及び三元共重合体において、カルボキシル基の一部は金属イオンで中和されている。中和のための金属イオンとしては、ナトリウムイオン、カリウムイオン、リチウムイオン、亜鉛イオン、カルシウムイオン、マグネシウムイオン、アルミニウムイオン及びネオジムイオンが例示される。
【００２５】
アイオノマー樹脂に代えて、カバー６に他のポリマーが用いられてもよい。他のポリマーとしては、ポリウレタン、ポリスチレン、ポリアミド、ポリエステル及びポリオレフィンが例示される。スピン性能及び耐擦傷性能の観点から、ポリウレタンが好ましい。２種以上のポリマーが併用されてもよい。
【００２６】
カバー６には、必要に応じ、二酸化チタンのような着色剤、硫酸バリウムのような充填剤、分散剤、酸化防止剤、紫外線吸収剤、光安定剤、蛍光剤、蛍光増白剤等が適量配合される。比重調整の目的で、カバー６にタングステン、モリブデン等の高比重金属の粉末が配合されてもよい。
【００２７】
カバー６の厚みは０．２ｍｍ以上が好ましく、０．３ｍｍ以上が特に好ましい。カバー６の厚みは２．５ｍｍ以下が好ましく、２．２ｍｍ以下が特に好ましい。カバー６の比重は０．９０以上が好ましく、０．９５以上が特に好ましい。カバー６の比重は１．１０以下が好ましく、１．０５以下が特に好ましい。カバー６が２以上の層から構成されてもよい。
【００２８】
図２及び３に示されるように、ディンプル８の輪郭は円である。このゴルフボール２は、直径が４．４６ｍｍであるディンプルＡと、直径が４．３６ｍｍであるディンプルＢと、直径が３．９０ｍｍであるディンプルＣとを備えている。ディンプル８の種類数は、３である。種類数が１、２又は４以上でもよい。ディンプルＡの数は１１２個であり、ディンプルＢの数は１００個であり、ディンプルＣの数は１２０個である。ディンプル８の総数は、３３２個である。
【００２９】
図４には、ディンプル８の中心及びゴルフボール２の中心を通過する平面に沿った断面が示されている。ディンプル８は、曲面からなる。図４における上下方向は、ディンプル８の深さ方向である。図４において二点鎖線１２で示されているのは、仮想球の表面である。仮想球１２の表面は、ディンプル８が存在しないと仮定されたときのゴルフボール２の表面である。ディンプル８は、仮想球１２の表面から凹陥している。ランド１０は、仮想球１２の表面と一致している。
【００３０】
図４において両矢印Ｄｉで示されているのは、ディンプル８の直径である。この直径Ｄｉは、ディンプル８の両側に共通の接線Ｔが画かれたときの、一方の接点Ｅｄと他方の接点Ｅｄとの距離である。接点Ｅｄは、ディンプル８のエッジでもある。エッジＥｄは、ディンプル８の輪郭を画定する。直径Ｄｉは、２．０ｍｍ以上６．０ｍｍ以下が好ましい。直径Ｄｉが２．０ｍｍ以上に設定されることにより、大きなディンプル効果が得られる。この観点から、直径Ｄｉは２．５０ｍｍ以上がより好ましく、３．０ｍｍ以上が特に好ましい。直径Ｄｉが６．０ｍｍ以下に設定されることにより、実質的に球であるというゴルフボール２の本来的特徴が損なわれない。この観点から、直径Ｄｉは５．５ｍｍ以下がより好ましく、５．０ｍｍ以下が特に好ましい。
【００３１】
図４に示されるように、ディンプル８の断面形状は波状曲線である。この波状曲線は、一方のエッジＥｄから他方のエッジＥｄにまで至っている。符号Ｐｄで示されているのは、ディンプル８の最深点である。最深点Ｐｄは、ディンプル８の表面のなかで、接線Ｔからの距離が最も大きい点である。符号１４で示されているのは、一方のエッジＥｄ、最深点Ｐｄ及び他方のエッジＥｄを通過する円弧である。
【００３２】
波状曲線は、２つの第一凸部１６、２つの第二凸部１８、２つの第一凹部２０及び２つの第二凹部２２を有している。それぞれの第一凸部１６は、円弧１４よりも上方に位置している。それぞれの第二凸部１８は、円弧１４よりも上方に位置している。それぞれの第一凹部２０は、円弧１４よりも下方に位置している。それぞれの第二凹部２２は、円弧１４よりも下方に位置している。円弧１４は、凸部と凹部とを区別する基準である。エッジＥｄから最深部Ｐｄに向けて、第一凹部２０、第一凸部１６、第二凹部２２及び第二凸部１８が並んでいる。第一凹部２０は、エッジＥｄに隣接している。第一凸部１６は、第二凸部１８よりもエッジＥｄに近い。
【００３３】
このディンプル８の設計方法では、図５に示されたＸ−Ｙ平面上に、円２８が仮想される。この円２８の半径は、ゴルフボール２の仮想球１２（図４参照）の半径と同一である。Ｘ−Ｙ平面上にはさらに、円弧３０が仮想される。この円弧３０の一端Ｅｄ１及び他端Ｅｄ２は、円２８の上に存在する。この円弧３０は、下向きに凸である。図５において矢印Ｄで示されているのは、この円弧３０に対応する弦３２の長さである。このＸ−Ｙ平面の原点Ｏの座標は、（０，０）である。原点Ｏは、弦３２の中点である。この円弧３０の上の点のｙ座標は、下記数式（１）によって表される。
【００３４】
【数１】
2011160995.tif 000003
【００３５】
この数式（１）において、Ｒは円弧３０の曲率半径を表し、ｄは円弧３０の深さを表す。
【００３６】
図５に示されるように、Ｘ−Ｙ平面上にコサインカーブ３４が仮想される。このコサインカーブ３４は、左右対称である。このコサインカーブ３４は、一端Ｅｄ３及び他端Ｅｄ４を有する。図５において、矢印Ｌで示されているのはコサインカーブ３４の長さであり、矢印ＷＬで示されているのはコサインカーブ３４の波長であり、矢印ＡＭで表されているのはコサインカーブ３４の振幅である。このコサインカーブ３４の長さＬは、弦３２の長さＤと同一である。このコサインカーブ３４の周期数は、５．０である。このコサインカーブ３４が、矢印Ａで示される方向に移動させられる。移動により、コサインカーブ３４の一端Ｅｄ３が円弧３０の一端Ｅｄ１と一致し、コサインカーブ３４の他端Ｅｄ４が円弧３０の他端Ｅｄ２と一致する。
【００３７】
この円弧３０とコサインカーブ３４とが、合成される。この合成により、波状曲線が得られる。この波状曲線３６が、図６に示されている。この波状曲線３６のｙ座標は、下記数式（２）によって表される。
【００３８】
【数２】
2011160995.tif 000004
【００３９】
この数式（２）において、Ｑは振幅調節係数であり、Ｓは周期数調節係数である。係数Ｑは、円弧３０の深さｄに対するコサインカーブ３４の振幅ＡＭのバランスが考慮されて、適宜決定される。係数Ｓは、コサインカーブ３４における所望の周期数が得られるように決定される。図５に示されたコサインカーブ３４では、Ｓは９００である。従って、このコサインカーブ３４の周期数は、５．０である。
【００４０】
図６において符号ＣＬで示されているのは、円弧３０の中心点Ｐｃと原点Ｏとを通過する直線である。この直線ＣＬを軸として、波状曲線３６が１８０°回転させられる。この回転によって波状曲線３６が通過した軌跡により、三次元形状が得られる。図４に示されたディンプル８は、この三次元形状を有する。このディンプル８の直径Ｄｉは、弦３２の長さＤと一致する。
【００４１】
本発明者が得た知見によれば、凸部及び凹部を有するディンプル８は、高速でゴルフボール２が飛行するときの抗力を減じる。このゴルフボール２の弾道初期の抗力は、小さい。凸部及び凹部を有するディンプル８は、低速でゴルフボール２が飛行するときの揚力を高める。このゴルフボール２の弾道後期の揚力は、大きい。このゴルフボール２により、大きな飛距離が得られうる。
【００４２】
図４において符号Ｐｐで示されているのは、エッジＥｄに最も近い凸部（すなわち第一凸部１６）の頂点である。頂点Ｐｐは、第一凸部１６の表面のなかで、円弧１４からの距離が最も大きい点である。この距離は、ディンプル８の深さの方向（図４における上下方向）において測定される。
【００４３】
図４において矢印Ｌｐで示されているのは、エッジＥｄから頂点Ｐｐまでの距離である。ディンプル８の半径（Ｄｉ／２）に対する距離Ｌｐの比率は、２０％以上７０％以下が好ましい。この比率が２０％以上であるディンプル８を有するゴルフボール２では、弾道初期の抗力が小さい。この観点から、この比率は２９％以上がより好ましく、４０％以上が特に好ましい。この比率が７０％以下であるディンプル８を有するゴルフボール２では、弾道後期の揚力が大きい。この観点から、この比率は６０％以下がより好ましく、４９％以下が特に好ましい。
【００４４】
このディンプル８では、エッジＥｄに最も近い凸部（すなわち第一凸部１６）とこのエッジＥｄとの間に、１つの凹部（すなわち第一凹部２０）が存在する。この第一凹部２０は、弾道初期の抗力低減に寄与する。
【００４５】
円弧３０とコサインカーブ３４とが合成されて得られる波状曲線３６の周期数は、このコサインカーブ３４の周期数と一致する。前述の通り、図５に示されたコサインカーブ３４の周期数は５．０である。従って、図６に示された波状曲線３６の周期数は、５．０である。飛行性能の観点から、波状曲線３６の周期数は２．５以上７．０以下が好ましい。飛行性能の観点から、波状曲線３６における凸部の数は、３以上７以下が好ましい。
【００４６】
直線ＣＬに対して対称な波状曲線３６が回転させられることにより、方向性を有さないディンプル８が形成されうる。方向性を有さないディンプル８は、空力的対称性に優れる。
【００４７】
飛行性能の観点から、円弧３０の深さＤｅに対するコサインカーブ３４の振幅ＡＭの比率は５％以上５０％以下が好ましい。この比率は８％以上がより好ましく、１０％以上が特に好ましい。この比率は３０％以下がより好ましく、２０％以下が特に好ましい。
【００４８】
飛行性能の観点から、弦３２の長さＤに対する、コサインカーブ３４の波長ＷＬの比（ＷＬ／Ｄ）は、（１／７）以上（１／２．５）以下が好ましい。（ＷＬ／Ｄ）は（１／６）以上がより好ましい。（ＷＬ／Ｄ）は（１／４）以下がより好ましい。
【００４９】
ゴルフボール２が、その断面形状が波状曲線３６である曲面を有するディンプル８と、他のディンプル８とを有してもよい。その断面形状が波状曲線３６である曲面を有するディンプル８の数Ｎ１の、ディンプル８の総数Ｎに対する比（Ｎ１／Ｎ）は、０．３以上が好ましく、０．５以上がより好ましく、０．７以上が特に好ましい。理想的には、比（Ｎ１／Ｎ）は１．０である。
【００５０】
ゴルフボール２のホップが抑制されるとの観点から、円弧３０の深さＤｅは０．０５ｍｍ以上が好ましく、０．０８ｍｍ以上がより好ましく、０．１０ｍｍ以上が特に好ましい。ゴルフボール２のドロップが抑制されるとの観点から、深さＤｅは０．６０ｍｍ以下が好ましく、０．４５ｍｍ以下がより好ましく、０．４０ｍｍ以下が特に好ましい。
【００５１】
ディンプル８の面積ｓは、無限遠からゴルフボール２の中心を見た場合の、輪郭線に囲まれた領域の面積である。円形ディンプル８の場合、面積ｓは下記数式によって算出される。
s = (Di / 2)２ ・ π
図１から図６に示されたゴルフボール２では、ディンプルＡの面積は１５．６２ｍｍ２であり、ディンプルＢの面積は１４．９３ｍｍ２であり、ディンプルＣの面積は１１．９５ｍｍ２である。
【００５２】
本発明では、全てのディンプル８の面積ｓの合計の、仮想球１２の表面積に対する比率は、占有率と称される。十分なディンプル効果が得られるとの観点から、占有率は７０％以上が好ましく、７８％以上がより好ましく、８０％以上が特に好ましい。占有率は、９０％以下が好ましい。図１から図６に示されたゴルフボール２では、ディンプル８の合計面積は４６７６．４ｍｍ２である。このゴルフボール２の仮想球１２の表面積は４６２９ｍｍ２なので、占有率は８１．６％である。
【００５３】
本発明において「ディンプルの容積」とは、ディンプル８の輪郭を含む平面とディンプル８の表面とに囲まれた部分の容積を意味する。ゴルフボール２のホップが抑制されるとの観点から、ディンプル８の総容積は２５０ｍｍ３以上が好ましく、２６０ｍｍ３以上がより好ましく、２７０ｍｍ３以上が特に好ましい。ゴルフボール２のドロップが抑制されるとの観点から、総容積は４００ｍｍ３以下が好ましく、３９０ｍｍ３以下がより好ましく、３８０ｍｍ３以下が特に好ましい。
【００５４】
コサインカーブ３４に代えて、サインカーブが円弧３０と合成されて、波状曲線が得られてもよい。サインカーブが用いられる場合、直線ＣＬ（図６参照）と一方のエッジＥｄとの間に、円弧３０及びこのサインカーブが想定される。このサインカーブが円弧と合成されて、半波状曲線が得られる。この半波状曲線が、直線ＣＬを軸として反転させられ、他の半波状曲線が得られる。２つの半波状曲線が合わされて、波状曲線が得られる。この波状曲線が、直線ＣＬを軸として、１８０°回転させられる。この回転により、凸部及び凹部を有するディンプルが得られる。このディンプルは、高速でゴルフボールが飛行するときの抗力を減じる。このゴルフボールの弾道初期の抗力は、小さい。凸部及び凹部を有するディンプルは、低速でゴルフボールが飛行するときの揚力を高める。このゴルフボールの弾道後期の揚力は、大きい。このゴルフボールにより、大きな飛距離が得られうる。
【００５５】
サインカーブが用いられて得られたディンプルにおいても、エッジＥｄに最も近い凸部の頂点とこのエッジとの距離Ｌｐの、ディンプルの半径（Ｄｉ／２）に対する比率は、２０％以上７０％以下が好ましい。この比率が２０％以上であるディンプルを有するゴルフボールでは、弾道初期の抗力が小さい。この観点から、この比率は２９％以上がより好ましく、４０％以上が特に好ましい。この比率が７０％以下であるディンプルを有するゴルフボールでは、弾道後期の揚力が大きい。この観点から、この比率は６０％以上がより好ましく、４９％以上が特に好ましい。
【００５６】
飛行性能の観点から、波状曲線の周期数は２．０以上６．０以下が好ましい。飛行性能の観点から、波状曲線における凸部の数は、３以上７以下が好ましい。
【００５７】
サインカーブが用いられて得られたディンプルにおいても、エッジＥｄに最も近い凸部とこのエッジとの間に、１つの凹部が存在することが好ましい。このディンプルにおいても、円弧３０の深さに対するサインカーブの振幅ＡＭの比率は５％以上５０％以下が好ましい。この比率は８％以上がより好ましく、１０％以上が特に好ましい。この比率は３０％以下がより好ましく、２０％以下が特に好ましい。飛行性能の観点から、弦３２の長さＤに対する、サインカーブの波長ＷＬの比（ＷＬ／Ｄ）は、（１／６）以上（１／２）以下が好ましい。（ＷＬ／Ｄ）は（１／５）以上がより好ましい。（ＷＬ／Ｄ）は（１／４）以下がより好ましい。
【００５８】
サインカーブが用いられて得られたディンプルにおいても、円弧の深さＤｅは０．０５ｍｍ以上が好ましく、０．０８ｍｍ以上がより好ましく、０．１０ｍｍ以上が特に好ましい。深さＤｅは０．６０ｍｍ以下が好ましく、０．４５ｍｍ以下がより好ましく、０．４０ｍｍ以下が特に好ましい。
【００５９】
サインカーブが用いられて得られたディンプルを有するゴルフボールにおいても、占有率は７０％以上が好ましく、７８％以上がより好ましく、８０％以上が特に好ましい。占有率は、９０％以下が好ましい。ディンプルの総容積は２５０ｍｍ３以上が好ましく、２６０ｍｍ３以上がより好ましく、２７０ｍｍ３以上が特に好ましい。総容積は４００ｍｍ３以下が好ましく、３９０ｍｍ３以下がより好ましく、３８０ｍｍ３以下が特に好ましい。
【実施例】
【００６０】
以下、実施例によって本発明の効果が明らかにされるが、この実施例の記載に基づいて本発明が限定的に解釈されるべきではない。
【００６１】
［実施例１］
１００質量部のポリブタジエン（ジェイエスアール社の商品名「ＢＲ−７３０」）、３０質量部のアクリル酸亜鉛、６質量部の酸化亜鉛、１０質量部の硫酸バリウム、０．５質量部のジフェニルジスルフィド及び０．５質量部のジクミルパーオキサイドを混練し、ゴム組成物を得た。このゴム組成物を共に半球状キャビティを備えた上型及び下型からなる金型に投入し、１７０℃で１８分間加熱して、直径が３９．７ｍｍであるコアを得た。５０質量部のアイオノマー樹脂（三井・デュポンポリケミカル社の商品名「ハイミラン１６０５」）、５０質量部の他のアイオノマー樹脂（三井・デュポンポリケミカル社の商品名「ハイミラン１７０６」）及び３質量部の二酸化チタンを混練し、樹脂組成物を得た。上記コアを、内周面に多数のピンプルを備えたファイナル金型に投入し、コアの周囲に上記樹脂組成物を射出成形法により注入して、厚みが１．５ｍｍであるカバーを成形した。カバーには、ピンプルの形状が反転した形状のディンプルが多数形成された。このカバーに、二液硬化型ポリウレタンを基材とするクリアー塗料を塗装し、直径が４２．７ｍｍであり質量が約４５．４ｇである実施例のゴルフボールを得た。このゴルフボールのＰＧＡコンプレッションは、約８５である。このゴルフボールのディンプルの総容積は、３２０ｍｍ３である。このゴルフボールは、図２及び３に示されたディンプルパターンを有する。このゴルフボールは、ディンプルＡ、Ｂ及びＣを有している。ディンプルＡ、Ｂ及びＣは、それぞれ、図４に示された断面形状を有している。
【００６２】
［実施例２から４及び比較例１から３］
ファイナル金型を変更した他は実施例１と同様にして、実施例２から４及び比較例１から３のゴルフボールを得た。ディンプルの断面形状の詳細は、以下の通りである。
実施例２（図７）：円弧とコサインカーブとの合成
実施例３（図８）：円弧とサインカーブとの合成
実施例４（図９）：円弧とコサインカーブとの合成
比較例１（図１０）：円弧とコサインカーブとの合成
比較例２（図１１）：円弧とサインカーブとの合成
比較例３（図１２）：円弧（シングルラジアス）
【００６３】
［実施例５及び６］
ファイナル金型を変更した他は実施例１と同様にして、実施例５及び６のゴルフボールを得た。実施例５のゴルフボールでは、ディンプルＡ及びＢの断面形状は波状であり、ディンプルＣの断面形状は円弧である。実施例６のゴルフボールでは、ディンプルＡの断面形状は波状であり、ディンプルＢ及びＣの断面形状は円弧である。
【００６４】
［飛距離テスト］
ゴルフラボラトリー社のスイングマシンに、チタンヘッドを備えたドライバー（ＳＲＩスポーツ社の商品名「ＸＸＩＯ」、シャフト硬度：Ｒ、ロフト角：１０．５°）を装着した。ヘッド速度が４０ｍ／ｓｅｃである条件でゴルフボールを打撃して、発射地点から静止地点までの距離を測定した。テスト時は、ほぼ無風であった。１２回の測定で得られたデータの平均値が、下記の表１及び２に示されている。
【００６５】
【表１】
2011160995.tif 000005
【００６６】
【表２】
2011160995.tif 000006
【００６７】
表１及び２に示されるように、各実施例のゴルフボールは飛行性能に優れている。この評価結果から、本発明の優位性は明らかである。
【産業上の利用可能性】
【００６８】
前述のディンプルは、ツーピースゴルフボールのみならず、ワンピースゴルフボール、マルチピースゴルフボール及び糸巻きゴルフボールにも適用されうる。
【符号の説明】
【００６９】
２・・・ゴルフボール
８、Ａ、Ｂ、Ｃ・・・ディンプル
１２・・・仮想球
１４、３０・・・円弧
１６・・・第一凸部
１８・・・第二凸部
２０・・・第一凹部
２２・・・第二凹部
３４・・・コサインカーブ
３６・・・波状曲線
【図１】
2011160995.tif 000007
【図２】
2011160995.tif 000008
【図３】
2011160995.tif 000009
【図４】
2011160995.tif 000010
【図５】
2011160995.tif 000011
【図６】
2011160995.tif 000012
【図７】
2011160995.tif 000013
【図８】
2011160995.tif 000014
【図９】
2011160995.tif 000015
【図１０】
2011160995.tif 000016
【図１１】
2011160995.tif 000017
【図１２】
2011160995.tif 000018